Podtech/llm-jp-corpus-v4-ja_patent huggingface dataset:
(57)【要約】  量も含めた具体的な例として、本発明の手順において、最初に小麦粉１ｋｇ、白ワイン４００ｍｌ、オリーブ油２００ｍｌ、卵１２０ｇ、食塩２８ｇ、および酵母菌２５ｇからなる生地を調製し、これらを全て混練機に２０分間入れ、生地を取り出して１５分間寝かせ、小分けして２００ｇずつの固まりにし、６０分間寝かせる。これらの小分けした固まりは最終的にピザの土台および覆いになる。アイスクリーム３００ｇ、グアーガム６ｇ、コムギデンプン６ｇ、およびグルタミン酸一ナトリウム１．２ｇを土台および覆いのそれぞれに加え、覆いと土台をこれらの成分とともに重ね合わせ、丸ごと２００℃のオーブンに１８分間入れておく。調理の中盤、９分後に、重ね合わせた固まりをオーブンから取り出し、卵を塗り、再びオーブンに戻して、調理が完了するまでオーブンに入れておく。こうしてアイスクリームが詰まったピザが得られる。【選択図】なし【特許請求の範囲】
【請求項１】
以下の段階：
・小麦粉、白ワイン、オリーブ油、卵、食塩、および酵母菌を、おおよその割合で、小麦粉５４％〜５８％、白ワイン２０％〜２４％、オリーブ油９％〜１３％、卵６％〜８％、食塩１％〜１．４％、および酵母菌０．９％〜１．３％で、混合する段階；
・該成分を全て混練機に入れて、２０分間混ぜる段階、このとき該生地は最終的に２４℃に達する；
・該生地を該混練機から取り出し、１５分間寝かせる段階；
・該生地を重さで約９等分する段階、小分けした固まりはそれぞれ、最終産物の土台および覆いとなる；
・アイスクリームを、該土台となる固まりおよび該覆いとなる固まりに、該固まりの合計重量のおよそ６分の１の量で加え、また該アイスクリームの量のそれぞれ５０分の１の量のグアーガムおよびコムギデンプンを加え、最後にグルタミン酸一ナトリウムをコムギデンプンおよびグアーガムの量の５分の１の量で加える段階；
・該アイスクリーム、グアーガム、コムギデンプン、およびグルタミン酸一ナトリウムの各成分を含有する該覆いを、同じく該アイスクリーム、グアーガム、コムギデンプン、およびグルタミン酸一ナトリウムを前記の割合で含有する、会合する該土台にかぶせる段階；
・該土台と該覆いを各成分とともに重ね合わせて得られる産物を、２００℃のオーブンに１８分間入れておく段階；
・９分後、該産物を取り出して少量の卵を塗る段階；
・該卵を塗った産物を、同温の該オーブンに戻して、最初から合計して最終的に１８分間になるまで調理する段階、こうして、主成分としてアイスクリームが詰まったピザが最終産物として得られる段階
を含むことを特徴とする、アイスクリームが詰まったピザの製造手順、手順。
【発明の詳細な説明】
【技術分野】
【０００１】
本発明は、アイスクリームが詰まったピザを製造する手順に関するものであり、その目的は明白で、ピザの様々な成分を混合してから、アイスクリームをピザの全質量に対して適切な割合で加えることで、主成分がアイスクリームであるピザを得ることである。
【０００２】
本発明の目的は、主成分としてアイスクリームを取り入れた、全く新しい味のピザを得ることである。
【背景技術】
【０００３】
周知のとおり、ピザは生地によって様々な種類があり、種類ごとに適切に調製された生地にピザ関連成分を添加する。ピザ関連成分は、種類も味も多様であるが、必ず食品であって、チーズからチョリソー、ベーコン、野菜類などまで幅広い。
【０００４】
アイスクリームを成分として取り入れたピザの存在は知られていない。
【発明の概要】
【課題を解決するための手段】
【０００５】
本発明が提案するピザの特徴は、主成分としてアイスクリームを含有していることであり、このピザが、以下の操作段階に基づく手順に従って製造されることである：
・小麦粉、白ワイン、オリーブ油、卵、食塩、および酵母菌を基本原料として生地を作る段階、各成分の割合はおおよそで、小麦粉５４％〜５８％、白ワイン２０％〜２４％、オリーブ油９％〜１３％、卵６％〜８％、食塩１％〜１．４％、および酵母菌０．９％〜１．３％である。
・これらの成分を全て混練機に入れて、２０分間混ぜる段階、このとき生地は２４℃に達する。
・得られた生地を混練機から取り出し、固まりのまま１５分間寝かせる段階。
・寝かせた生地を小分けし、６０分間寝かせる段階、小分けした固まりのいくつかは土台用、残りは覆い用であり、伸ばしておく。
・アイスクリームを、土台となる固まりおよび覆いとなる固まりの両方に、それぞれの重量のおよそ６分の１の量で加え、またアイスクリームの量の５０分の１の量のグアーガム、さらに同量のコムギデンプンを加え、最後にグルタミン酸一ナトリウムを上記のコムギデンプンおよびグアーガムの量の５分の１の量で加える段階。
・アイスクリーム、グアーガム、コムギデンプン、およびグルタミン酸一ナトリウムを加えた土台と覆いで形成された産物を、２００℃のオーブンに１８分間入れておく段階。
・調理の中盤で、各固まりに少量の卵を塗り、オーブンに戻して調理を完了させる段階、こうして、土台と覆いがあり、その間に上記のとおりアイスクリームおよび付随する成分が入ったピザが得られる。
【発明を実施するための形態】
【０００６】
小麦粉１ｋｇ、白ワイン４００ｍｌ、オリーブ油２００ｍｌ、卵１２０ｇ、食塩２８ｇ、および酵母菌２５ｇを混練機に入れ、２０分間混ぜる。生地は最終的に２４℃に達する。
【０００７】
得られる混合物を混練機から取り出し、固まりのまま１５分間寝かせ、次いで２００ｇ大の固まりに分ける。次いで、これらの固まりを丸めて玉にし６０分間寝かせ、これらを伸ばして土台と覆いとする。次いでアイスクリームを土台に加え、覆いをかぶせる。
【０００８】
すなわち、生地２００ｇは、おおよそ、小麦粉１１３．４４ｇ；オリーブ油２２．６ｍｌ；ワイン４５．３７ｍｌ；卵１３．６１ｇ；食塩２．０４ｇ、および酵母菌２、８３ｇを含有している。
【０００９】
アイスクリーム３００ｇ、グアーガム６ｇ、コムギデンプン６ｇ、およびグルタミン酸一ナトリウム１．２ｇを、土台および覆いとする複数の２００ｇ大の固まりに加え、土台、覆い、ならびにこれらの添加したアイスクリーム、グアーガム、コムギデンプン、およびグルタミン酸一ナトリウムで形成された産物を２００℃のオーブンに、１８分間入れておく。調理の中盤、すなわち９分後、調理途中の生地に卵１５ｇを塗り、再びオーブンに戻して調理完了までオーブンに入れておく。こうして得られるピザは、生地が主に小麦粉、白ワイン、オリーブ油、卵、食塩、および酵母菌からなり、アイスクリーム、グアーガム、コムギデンプン、およびグルタミン酸一ナトリウムを主成分として含有し、喫食に好適なまたは最適な味のピザが得られる。
【国際調査報告】
2014529393.tif 000002
2014529393.tif 000003
2014529393.tif 000004
2014529393.tif 000005
(57)【要約】  本発明は一種の携帯端末ロック解除の方法を公表した。プロフィールで携帯端末のロック解除の動作モードを定義する。プロフィールでアニメーション効果を定義する。プロフィールで携帯端末ロック解除の動作モードとアニメーション効果の間の対応関係を作成する。携帯端末のロックが解除される時、対応するアニメーション効果が触発される。本発明の技術ソリューションを使用ことにより、携帯端末のロック解除の動作はアニメーション効果と結びつけられ、携帯端末がロック解除されるときの視覚効果が増やし、したがって、ユーザの使用興味も高められる。
2014523157.tif 000002
【特許請求の範囲】
【請求項１】
一種の携帯端末ロック解除の方法であり、
プロフィールで携帯端末のロック解除の動作モードを定義し、前記携帯端末が前記定義にそって動作する時、前記携帯端末のロックが解除されるステップを含むことを特徴とする携帯端末ロック解除の方法。
【請求項２】
前記プロフィールでアニメーション効果を定義し、前記プロフィールで前記携帯端末ロック解除の動作モードと前記アニメーション効果の間の対応関係を作成し、前記携帯端末が前記定義された動作モードどおりに動作する時、前記携帯端末のロックが解除され、そして前記アニメーション効果を表示するステップを更に含むことを特徴とする請求項１に記載の携帯端末ロック解除の方法。
【請求項３】
前記プロフィールはＸＭＬファイルであることを特徴とする請求項１に記載の携帯端末ロック解除の方法。
【請求項４】
前記携帯端末ロック解除の動作モードに、スクリーンにタップ、スクリーンにタッチ、もしくは事前設定された道順でスライド、の三つ動作があることを特徴とする請求項１に記載の携帯端末ロック解除の方法。
【請求項５】
前記携帯端末ロック解除の動作モードは携帯端末センサの入力であることを特徴とする請求項１に記載の携帯端末ロック解除の方法。
【請求項６】
前記携帯端末のセンサは重力センサ、ジャイロスコープ、コンパス、或いは光センサであることを特徴とする請求項５に記載の携帯端末ロック解除の方法。
【発明の詳細な説明】
【技術分野】
【０００１】
本発明は携帯端末分野と関連し、とりわけ一種の携帯端末ロック解除の方法と関連する。
【背景技術】
【０００２】
携帯端末技術の発展につれ、携帯端末はすでに人びとの生活に欠かせない個人用電子デバイスとなり、人々は情報獲得・仕事・エンターテイメントなど多くの面から携帯端末に頼っている。携帯端末の種類とモデルは厖大な使用者数と比べると依然として少ないため、使用者たちは往々として常に自分の携帯端末の各種のアプリケーションの視覚効果を変更することによって、個性を出さなければならない。現在の携帯端末の大部分は画面ロックのときにブラックもしくは単一のインターフェースになり、ロック解除の操作をするときのスクリーンの変化も少ないため、ユーザの使用体験が比較的に悪い。
【発明の概要】
【発明が解決しようとする課題】
【０００３】
本発明は携帯端末ロック解除の方法を提供し、携帯端末ロック解除の時の視覚効果を高め、ユーザの興味を強めることを目的としている。
【課題を解決するための手段】
【０００４】
このために、本発明は以下の技術ソリューションを使用している。
一種の携帯端末ロック解除の方法であり、以下のステップを含む。
プロフィールでロック解除の動作モードを定義する。
携帯端末が上述の定義にそって動作する時、携帯端末のロックが解除される。
【０００５】
更に以下のステップを含む。
プロフィールでアニメーション効果を定義する。プロフィールで携帯端末ロック解除の動作モードとアニメーション効果の間の対応関係を作成する。
携帯端末が上記の定義された動作モードどおりに動作する時、携帯端末がロック解除され、そして上記のアニメーション効果を表示する。
【０００６】
プロフィールはＸＭＬファイルである。
携帯端末ロック解除の動作モードはスクリーンにタップ、スクリーンにタッチ、もしくは事前設定された道順でスライドの三つの動作に設定することができる。また、携帯端末ロック解除の動作モードを携帯端末センサの入力に設定することもできる。
携帯端末のセンサは重力センサ、ジャイロスコープ、コンパス、或いは光センサなどを含む。
【発明の効果】
【０００７】
本発明の技術ソリューションを使用することにより、携帯端末のロック解除の動作はアニメーション効果と結びつけられ、携帯端末がロック解除されるときの視覚効果を増やし、したがって、ユーザの使用興味も高められる。
【図面の簡単な説明】
【０００８】
【図１】本発明の具体的な実施方式の中の携帯端末のロック解除のフローチャートである。
【発明を実施するための形態】
【０００９】
次に添付図面にあわせて具体的な実施方式を説明することによって本発明の技術ソリューションについて更なる説明をする。
図１は本発明の具体的な実施方式の中の携帯端末のロック解除のフローチャートである。
【００１０】
図１が示しているように、当該携帯端末のロック解除のプロセスは以下のステップを含む。
ステップ１０１、ＸＭＬファイルというプロフィールで携帯端末ロック解除の動作モードを定義する。
携帯端末ロック解除の動作モードに、スクリーンにタップ、スクリーンにタッチ、事前設定された道順でスライドのような動作、また重力センサ、ジャイロスコープ、コンパス、或いは光センサなどのような携帯端末センサの入力がある。
【００１１】
ステップ１０２、ＸＭＬファイルというプロフィールで各種のアニメーション効果を定義する。
【００１２】
ステップ１０３、ＸＭＬファイルというプロフィールで携帯端末のロック解除の動作モードとアニメーション効果の間の対応関係を作成する。
【００１３】
ステップ１０４、携帯端末がロック解除の動作をするとき、対応するアニメーション効果が触発される。
【００１４】
例えば、携帯端末が画面ロックの状態にあるとき、事前設置された道順に沿ってスクリーンの中のスライダーをスライドすれば、スクリーンの中の顔写真が揺れ動きながら挨拶の言葉を言う。そして、スクリーンの中の的スライダーをスライドするスピードが速くなるのにつれて、顔写真の動くスピードが早くなり、もしくは動く幅が大きくなる。
【００１５】
携帯端末が画面ロックの状態にあるとき、設定された時間になると、もしくはアラーム時計が鳴ると、スクリーンの中に伸びをするキャラクターが出てくる。
また、例えば、重力センサの入力でロック解除するかどうかを判断することもできる。３回連続で携帯端末を揺り動かせば、当該携帯端末がロック解除されるなどのモードもある。
【００１６】
上述の内容は本発明のより適切の具体的な実施方式であり、本発明の保護範囲はこれだけに限らない。当該技術に親しみのある人が本発明の披露した技術範囲内で簡単に思いつく変化もしくは取替えは全部本発明の保護範囲内にあるべきである。それ所以、本発明の保護範囲は権利請求書に提示される保護範囲に基づくべきである。
【図１】
2014523157.tif 000003
【国際調査報告】
2014523157.tif 000004
2014523157.tif 000005
2014523157.tif 000006
2014523157.tif 000007
2014523157.tif 000008
2014523157.tif 000009
(57)【要約】本発明は、パイプのためのT形分岐ジョイントを作製する方法に関する。当該方法は、分岐されるパイプ(1)に穴(3)を作製する工程、および当該穴の縁部に分岐パイプ(2)を溶接によって取り付ける工程を含む。溶接は、パイプの内側から実施される。穴(3)は、穴(3)の縁部(4)が分岐パイプの内径より内側に広がる段部を提供するように、分岐パイプ(2)の内径より小さく作製される。当該段部(4)の物質は、内部溶接により溶融されて、溶接ジョイント(5)の一部を形成する。2014523344.tif 000003
2014523344.tif 000002
【特許請求の範囲】
【請求項１】
パイプのためのT形分岐ジョイントを作製する方法であって、分岐されるパイプ(1)に穴(3)を作製する工程、および該穴の縁部に分岐パイプ(2)を溶接により取り付ける工程を含み、該溶接が該パイプの内側から実施され、該穴(3)の該縁部(4)が該分岐パイプの内径より内側に広がる段部を提供するように、該穴(3)が該分岐パイプ(2)の内径より小さく作製され、且つ該段部(4)の物質が、該内部溶接により溶融されて溶接ジョイント(5)の一部を形成することを特徴とする、方法。
【請求項２】
前記溶融ジョイント(5)が前記パイプ(1、2)の壁厚を超える厚さを有するほど広範な広さを有するように前記段部(4)を選択できることを特徴とする、請求項1に記載の方法。
【発明の詳細な説明】
【技術分野】
【０００１】
本発明は、パイプのためのT形分岐ジョイントを作製する方法に関し、当該方法は、分岐されるパイプに穴を作製する工程、および当該穴の縁部に分岐パイプを溶接によって取り付ける工程を含み、当該溶接はこれらのパイプの内側から実施する。
【背景技術】
【０００２】
分岐されるパイプ物質を引き延ばして、分岐穴を囲む継ぎ輪を作製し、その縁部に分岐パイプの縁部を内部溶接にて取り付けることによって、T形パイプ分岐を作製する方法が、先行技術において公知である。例えば、米国特許第6,433,307号（特許文献1）および欧州特許第1633520号（特許文献2）の特許明細書を参照されたい。しかしながら、この先行する公知の方法は、薄壁パイプにとって好適ではなく、そのようなパイプでは、溶接部分が非常に薄く弱いまま残される。これは、特に1mm未満の壁厚のパイプに当てはまる。ちょうど1.5mmの壁厚を有するステンレス鋼のパイプでさえ、先行技術の方法よりも信頼できる溶接方法によって接続することができるべきである。
【先行技術文献】
【特許文献】
【０００３】
【特許文献１】米国特許第6,433,307号
【特許文献２】欧州特許第1633520号
【発明の概要】
【０００４】
本発明の目的は、パイプのためのT形分岐ジョイントを作製する方法を提供することであり、当該方法は、溶接部分が十分に厚く強くなるので、薄壁パイプの接続にとっても好適である。
【０００５】
この目的は、添付の請求項1に提示される特徴に基づく本発明によって達成される。
【０００６】
本発明が特に有利であるのは、まさしくその分岐されるパイプに由来する補強材をジョイントの周りで溶融させることができる点である。
【図面の簡単な説明】
【０００７】
次に、以下の添付の図面を参照しながら、本発明についてより詳細に説明する。
【０００８】
【図１Ａ】分岐されるパイプ1が断面で示されている、溶接前の、パイプのためのT形ジョイントアセンブリを示す。
【図１Ｂ】図1Aと同じものを示すが、分岐されるパイプ1が軸方向断面で示されている。
【図２Ａ】分岐されるパイプ1が断面で示されている、本発明に従って作製された溶接後のT形分岐ジョイントを示す。
【図２Ｂ】図2Aと同じものを示すが、分岐されるパイプ1が軸方向断面で示されている。
【発明を実施するための形態】
【０００９】
本発明の方法は、分岐されるパイプ1に穴3を作製する工程、および当該穴の縁部に分岐パイプ2を溶接によって取り付ける工程を含む。上記において引用された特許公報により公知のように、パイプの内側から当該溶接を実施する。本発明の新規性は、穴3の縁部が、分岐パイプの内径より内側にある程度まで広がる段部を提供するように、穴3を分岐パイプ2の内径より小さく作製することである。これにより、上記内部溶接によって、段部4物質を溶融させて、溶接ジョイント5の一部を形成することができる。したがって、溶接ジョイント5は、パイプの壁厚よりもさらに厚くなる。したがって、溶融ジョイント5がパイプ1および2の壁厚を超える厚さを有するほど広範な広さを有するように、段部4を選択することができる。
【００１０】
上記において説明した取り付けの前に、分岐パイプ2の縁部を、パイプ1の外面に適合するように成形する。
【００１１】
本発明は、特に強固な接続ジョイントが所望される場合には、比較的厚い壁を有するパイプに対しても適用することができる。
【図１Ａ】
2014523344.tif 000004
【図１Ｂ】
2014523344.tif 000005
【図２Ａ】
2014523344.tif 000006
【図２Ｂ】
2014523344.tif 000007
【国際調査報告】
2014523344.tif 000008
2014523344.tif 000009
2014523344.tif 000010